(57)【要約】【課題】荷室を区分けできる冷蔵車であって、区分けした荷室のスペースを自在に変更できるフレキシビリチィがあり、特に実コンテナを配送しながら空コンテナを回収していくような配送作業に好適な冷蔵車を提供すること。【解決手段】冷蔵室を有する冷蔵車において、前記冷蔵室の内部を複数の荷室に区分けするスクリーンと、前記冷蔵室内の天井部分に設けられ前記スクリーンを伸張し又は巻き上げるスクリーンロールと、前記スクリーンの下端部に設けられスクリーン下端部を冷蔵室床面の任意位置に配置するための位置決め部材とを備えたことを特徴とする。【選択図】　　　　図１
2004060928.tif 000002
【特許請求の範囲】
【請求項１】
車両に架装された冷蔵室と、前記冷蔵室内を冷却する冷却ユニットと、前記冷蔵室を開閉するための一つ以上のドアとを有する冷蔵車において、前記冷蔵室の内部を複数の荷室に区分けするスクリーンと、前記冷蔵室内の天井部分に設けられ前記スクリーンを伸張し又は巻き上げるスクリーンロールと、前記スクリーンの下端部に設けられスクリーン下端部を冷蔵室床面の任意位置に配置するための位置決め部材とを備えたことを特徴とする冷蔵車。
【請求項２】
前記スクリーンが、少なくとも冷蔵室の床面から前記スクリーンロールの設置高さまでの距離よりも長い長さを有する請求項１に記載の冷蔵車。
【請求項３】
前記位置決め部材が、スクリーンの下端部を下垂させる重錘である請求項１又は請求項２に記載の冷蔵車。
【請求項４】
前記位置決め部材が、スクリーンの下端部に設けられた第１の係止部材と、冷蔵室の床面に設けられ前記第１の係止部材と係合する複数の第２の係止部材よりなる請求項１又は請求項２に記載の冷蔵車。
【請求項５】
前記スクリーンロールの両端を軸支する二のブラケットが突設された軸支バーと、前記軸支バーを摺動可能に支持する案内レールとを備え、前記軸支バーを案内レールに沿って摺動させることによって各荷室の体積比を変更可能とした請求項１乃至請求項４のいずれかに記載の冷蔵車。
【発明の詳細な説明】
【０００１】
【発明の属する技術分野】
本発明は、冷蔵室を備えた冷蔵車に関するものである。詳しくは、本発明は、車両に架装された冷蔵室と、前記冷蔵室内を冷却する冷却ユニットと、前記冷蔵室を開閉する少なくとも一つのドアとを有する冷蔵車において、前記冷蔵室を複数の荷室にフレキシブルに区分けすることができ、配送を効率化できる冷蔵車に関する。
【０００２】
本発明において「冷蔵」とは、常温より低い温度状態で保管することを意味し、０℃以下の温度帯で保管する場合（冷凍保管など）も本発明の「冷蔵」の範囲に包含される。
【０００３】
【従来の技術】
従来、荷物を冷蔵するための冷蔵室を設けた冷蔵車が活用されている。このような冷蔵車においては、車両に冷蔵室が架装されており、この冷蔵室に、冷凍サイクルのエバポレーター（蒸発器）とコンデンサー（凝縮器）とを備えた冷却ユニットが装備されている。この冷却ユニットにより、冷蔵室内を冷却して冷蔵室内の荷物の冷蔵を行っているのである。
【０００４】
また、一般に冷却ユニットは、冷蔵室の前端部に配置されることが多く、また、冷蔵室の後端部にはドア開口を設けている構造をとることが多い。
【０００５】
ところで、スーパーマーケット等への食品配送では、配送作業の効率化のために、食品（荷物）を、例えばプラスチック製のコンテナに収納した上で配送しているが、冷蔵車が食品を配送する際には、使用後の空になったコンテナをそのまま冷蔵室に収容して回収することも同時に行われている（以下、荷物が収納されたコンテナを「実コンテナ」と、回収された空のコンテナを「空コンテナ」と記載して区別するものとする。）。
【０００６】
このような冷蔵車においては、荷物の出し入れのためにドアを大きく開くと、冷蔵室内と外気とが広い範囲で導通し、冷蔵室内の温度が上がってしまう等の種々の問題があり、特に、前記のように空コンテナを冷蔵室に収容する場合は、空コンテナは冷蔵が不要であるため、エネルギー的にも無駄が生じてしまう。
【０００７】
このため、冷蔵室の内部を複数の荷室に区分けし、各々、異なる温度で管理する技術が検討されており、従来は、次のような技術、
（１）開閉可能の固定壁によって冷蔵室を複数の荷室に区分けする技術
ａ）特開平１１−３３７２５５号公報、ｂ）特開２００２−２３６６号公報に記載された各技術、
（２）取り外し可能な壁材によって冷蔵室を複数の荷室に区分けする技術
ｃ）特開２０００−１０８７７４号公報、ｄ）特開２０００−１０４５８０号公報に記載された各技術、
（３）柔軟性のある壁材によって冷蔵室を複数の荷室に区分けする技術
ｅ）特開平９−２０７６４８号公報、ｆ）特開平９−２３６３７９号公報、
ｇ）特開平１１−５１５３５号公報に記載された各技術、
が知られている。
【０００８】
【発明が解決しようとする課題】
前記（１）のように固定壁によって区分けした場合には、各荷室のスペースが一定の面積に固定されてしまうため、収納する荷物の量が変化した場合に対応することがむずかしくなる。特に、実コンテナを配送しながら空コンテナを回収する場合には、配送作業の進行とともに冷蔵を要する実コンテナと、冷蔵不要の空コンテナとの割合が変化していくが、前記（１）の技術では、各荷室のスペースが固定されているため、スペースの有効利用ができず、積載量に限界が生じてしまうことになり、結局、配送の効率も低下してしまう。
【０００９】
前記（２）のように、取り外し可能な壁材により区分けした場合には、取り外した後の壁材を収納する空間が必要となり、また、各荷室のスペースを変更する場合には、一旦固定した壁材を取り外して再度固定するという煩雑な作業が必要となるため、作業効率が悪いという問題があった。
【００１０】
このため、冷蔵室を区分けする技術としては、前記（３）のように柔軟性のある壁材によって区分けする技術が最も期待されている。
【００１１】
前記（３）の技術において、前記ｅ）の技術は、水平方向に伸縮する蛇腹状のカーテンによって冷蔵室を区分けする技術であり、区分けした荷室のスペースを変化させる場合には、蛇腹状のカーテンの設置位置を移動させるものである。
しかしながら、蛇腹式のカーテンには機械的な稼動個所が多いため、頻繁に開閉をおこなう配送業務に使用するには、耐久性、メンテナンスの点で問題があり、しかも構造が複雑なことから投資額も高価にならざるをえない。
【００１２】
前記ｆ）の技術は、可撓性のシートを冷蔵室の天井部分に収納しておき、必要に応じてこれを拡開・懸吊して、冷蔵室を区分けする技術である。区分けした荷室のスペースを変化させる場合には、シートを懸吊する位置を変更するというものである。
しかしながら、この場合も、可撓性のシートを拡開して懸吊する作業が煩雑であるため、可及的に早い処理が要求される配送の業務では、配送効率の悪化をまねく恐れがある。また、前記したように実コンテナを配送しながら空コンテナを回収するという場合には、作業性の面で特に不都合である。
【００１３】
前記ｇ）の技術は、巻き取り可能な複数のスクリーンロールを冷蔵室天井部分に設けておき、その中のひとつのスクリーンを選択して伸張させ、冷蔵室を区分けする技術である。区分けした荷室のスペースを変化させる場合には、一旦スクリーンを巻き上げ、別なスクリーンロールのスクリーンを伸張させるというものである。
しかしながら、区分けした荷室のスペースを変化させる場合に、スクリーンを巻き取って別なスクリーンロールのスクリーンを伸張させる作業が必要であるため、やはり作業性が良いとはいえず、特に実コンテナの配送中に空コンテナを回収する場合には、このような煩雑な作業を行うことは配送効率の悪化につながる。
【００１４】
また、複数のスクリーンロールを設置する必要があるため投資額が高額にならざるをえず、更に、冷蔵室を区分けするにあたって予めスクリーンロールを設置した位置でしか区分けすることができないため、荷室のスペースも、スクリーンロールの設置個所によって決められた面積しか得ることができない。このため、荷室のスペースにフレキシビリティが乏しくなり、実コンテナの配送中に空コンテナを回収する場合のように、刻々と実コンテナと空コンテナとの個数の比率が変化していくような配送作業には好適とはいえない。
【００１５】
本発明は、以上の問題点に鑑みてなされたものであり、本発明の目的は、ドア開放時における荷物の温度上昇を最小限に抑制でき、荷室を区分けして温度管理ができる冷蔵車であって、構造が簡便で安価であり、耐久性がよく、使用にあたって作業効率がよく、配送効率を減ずることがなく、区分けした荷室のスペースを自在に変更できるフレキシビリチィがあり、特に実コンテナを配送しながら空コンテナを回収していくような配送作業に好適な冷蔵車を提供すること、である。
【００１６】
【課題を解決するための手段】
前記課題を解決するための本発明は、車両に架装された冷蔵室と、前記冷蔵室内を冷却する冷却ユニットと、前記冷蔵室を開閉するための一つ以上のドアとを有する冷蔵車において、前記冷蔵室の内部を複数の荷室に区分けするスクリーンと、前記冷蔵室内の天井部分に設けられ前記スクリーンを伸張し又は巻き上げるスクリーンロールと、前記スクリーンの下端部に設けられスクリーン下端部を冷蔵室床面の任意位置に配置するための位置決め部材とを備えたことを特徴とする冷蔵車、である。
【００１７】
かかる本発明は、前記スクリーンが、少なくとも冷蔵室の床面から前記スクリーンロールの設置高さまでの距離よりも長い長さを有すること、前記位置決め部材が、スクリーンの下端部を下垂させる重錘であること、前記位置決め部材が、スクリーンの下端部に設けられた第１の係止部材と、冷蔵室の床面に設けられ前記第１の係止部材と係合する複数の第２の係止部材よりなること、及び、前記スクリーンロールの両端を軸支する二のブラケットが突設された軸支バーと、前記軸支バーを摺動可能に支持する案内レールとを備え、前記軸支バーを案内レールに沿って摺動させることによって各荷室の体積比を変更可能としたこと、を望ましい態様とする。
【００１８】
【発明の実施の形態】
以下、本発明の好適な実施形態を添付図面に基づいて詳述する。
図１は、本発明の第一の実施形態の構造を説明するための一部断面説明図である。
【００１９】
本発明の冷蔵車１は、冷蔵して輸送する荷物（例えば、食品等）を収容して運搬するものであり、特に、多店舗配送における各店舗での荷役中に冷蔵室内を外気から十分に保護できるように工夫されている。
【００２０】
図１に示すように、冷蔵車１は、車両本体１ａとボデー１ｂとで概略構成されており、ボデー１ｂには、配送される全店舗分の荷物を収容して冷蔵するための冷蔵室１０が設けられている。なお、図１においては、内部の構造を詳細に説明するために、冷蔵室１０のみは断面を示している。
【００２１】
冷蔵室１０は、断熱材からなる壁１１で囲われて構成されていると共に、コンデンサ１２及びエバポレータ１３からなる冷却ユニット１４が設けられており、内部を所望の冷蔵温度に管理することができる。
【００２２】
冷蔵室１０の後部には、冷蔵室１０から積荷を搬出入するためのドア１５が設けられている。このドア１５は、２枚の両開きの扉（図示せず）によって構成されており、この２枚の両開きの扉は、冷蔵室１０の後方側へ観音開きの状態で開くことができるようになっている。なお、このドア１５も、冷蔵室１０の壁１１と同様に断熱材で形成されていることはいうまでもない。
【００２３】
また、冷蔵室１０の側面には、冷蔵室１０から積荷を搬出入するための搬出入用ドア１６が設けられているが、図１においては冷蔵室１０を断面の状態で示している関係上、点線で表現している。即ち、搬出入用ドア１６は、冷蔵室１０において紙面の手前側の冷蔵室側壁に設置されているのである。この搬出入用ドア１６も断熱材で形成されている。
【００２４】
本発明では、以上のような冷蔵車１において、冷蔵室１０の内部を複数の荷室に区分けするためにスクリーン２０が備えられており、また、このスクリーン２０を伸張したり巻き取ったりするためのスクリーンロール２１が冷蔵室１０の中の天井部分に設けられている。
【００２５】
スクリーン２０の下端には、スクリーン２０の下端部の位置を、冷蔵室の床面１１ａの任意位置に決めるための位置決め部材２２が設けられている。図１の実施形態においては、位置決め部材２２として、重錘２２ａが設けられている。なお、位置決め部材２２は、スクリーン２０の下端部が移動しないようにスクリーン２０下端部の位置を任意位置に配置するための部材であり、この目的を達成できればいかなる構造のものでも良い。このような位置決め部材２２として重錘２２ａを採用した場合には、重錘２２ａの重力によってスクリーン２０を安定して垂下させることができるため、好ましい。
【００２６】
重錘２２ａの具体的な態様としては、複数のウエイト部材をスクリーン２０の下端に設ける態様であっても良いが、棒状のウエイト部材であるウエイトバーを、スクリーン２０の下端に沿って設けることが好ましい。
【００２７】
図２は、前記本発明の第一の実施形態の構造と作用を説明するための概念図である。図２に示すように、冷蔵室１０においては、スクリーン２０を垂下させることによって、冷蔵室１０の内部を、荷室（Ａ）と荷室（Ｂ）とに区分けすることができる。スクリーン２０の下端には重錘２２ａが設けられているため、この重錘２２ａの重さによって、スクリーン２０はたわむことなく垂下される。
【００２８】
スクリーンロール２１を設置する位置は、冷蔵室１０を長手方向（矢印Ｙ方向）に略２分割するように略中央付近の位置であり、スクリーンロール２１を設置する方向は、冷蔵室１０の短矩方向（矢印Ｘ方向）に平行となる方向に設置する。そしてこのように設置したスクリーンロール２１より、スクリーン２０を上下方向（矢印Ｚ方向）に伸張し及び巻き上げるのである。
【００２９】
スクリーン２０の長さは、スクリーンロール２１と、冷蔵室１０の床面１１ａとの間の距離（Ｚ１）よりも長い長さ、即ち、冷蔵室の床面１１ａから前記スクリーンロール２１の設置高さまでの距離よりも長い長さとすることが好ましい。
【００３０】
なお、スクリーン２０について「長さ」とは、スクリーン２０をスクリーンロール２１より最大限に伸張させた時の長さを意味する。
【００３１】
スクリーンロール２１には、スクリーン２０の伸張及び巻き上げを操作するためのループコード２３が設けられており、このループコード２３を手でたぐれば、スクリーンロール２１を正逆に回動させてスクリーン２０の伸張及び巻き上げを行うことができる。冷蔵室１０の側壁面には、ループコード２３を使用しないときに当該ループコード２３を引っ掛けておくためのループコード掛け２３ａ、２３ｂが設けられている。
【００３２】
なお、第一の実施形態の説明において、以上のループコード２３、ループコード掛け２３ａ、２３ｂは、図２及び図３以外の図では図示を省略している。
【００３３】
図３は、前記本発明の第一の実施形態におけるスクリーンの周囲の構造を説明するための斜視図である。図３において、スクリーン２０は、下端部に、位置決め部材２２として重錘２２ａが貼着されている。また、スクリーン２０は、スクリーンロール２１より伸張され、また巻き上げられる。
【００３４】
スクリーンロール２１の両端は、ニのブラケット２４、２５によって軸支されており、ブラケット２５の外側には、スクリーンロール２１を回転させるためのギア機構２６と、このギア機構２６と噛み合った状態で下垂されるループコード２３とが備えられている。このループコード２３を正逆方向に手でたぐれば、ギア機構２６の作用によってスクリーンロール２１を正逆に回動させることができる。二のブラケット２４、２５は、軸支バー２７の両端部分に突設されている。
【００３５】
この軸支バー２７は、冷蔵室１０の天井壁１１ｂ（図１参照）に固着されているが、図１及び図２、並びに後記図４〜図６においては図示は省略している。なお、このようにスクリーンロール２１を、冷蔵室１０の天井壁１１ｂに固着する場合は、軸支バー２７を省略し、例えばブラケット２４、２５を天井壁１１ｂに直接設ける態様であっても良い。
【００３６】
以上の構成を備えた本発明の第一の実施形態の作用について説明する。図１、図２において、スクリーン２０をスクリーンロール２１に巻き戻しておけば、冷蔵室１０は、一つの荷室となるため、この状態では、配送すべき実コンテナを積みこむ作業を容易に行うことができる。
【００３７】
このようにして実コンテナを積載しおわった冷蔵車１は、適宜、各店舗に実コンテナを配送し、また、その都度、空コンテナを回収する。
【００３８】
なお、本発明においては、スクリーンロール２１よりスクリーン２０を垂下させる場合、図１、図２に示すように、スクリーン２０は、スクリーンロール２１の前後の側のうち、エバポレータ１３に近い側、即ち、スクリーンロール２１のドア１５（図１）からみた反対側から垂下させることが好ましい。この理由は、作業員が荷室（Ｂ）で作業を行う場合に、スクリーン２０の巻き取りの程度が肉眼で確認しやすいためである。
【００３９】
図４から図６は、前記本発明の第一の実施形態の作用を説明するための概略説明図である。図４において、実コンテナＰと空コンテナＱとを混載している場合には、スクリーン２０をスクリーンロール２１から伸張し、実コンテナＰと、空コンテナＱとの間に形成される間隙（Ｒ）に重錘２２ａを配置する。この状態であれば、冷蔵室１０の内部を、スクリーン２０によって、荷室（Ａ）と荷室（Ｂ）とに区分けすることができ、荷室（Ａ）には実コンテナＰを収容し、荷室（Ｂ）には空コンテナＱを収容することができる。荷室（Ａ）においては、冷却ユニット１４が内部を冷却するため、実コンテナＰは常に冷蔵された状態となる。一方、冷蔵が不要な空コンテナＱは、スクリーン２０によって区分けされた荷室（Ｂ）に積載されることになるが、この荷室（Ｂ）においては、スクリーン２０によって冷却ユニット１４の冷気は略々遮断されているため、空コンテナＱは冷蔵されることがないか、または高い室温となる。従って、冷蔵が必要な実コンテナＰを収容した荷室（Ａ）のみが選択的に冷却されることになり、全体としてエネルギーの無駄がないのである。
【００４０】
冷蔵室１０において、実コンテナＰを搬出する場合には、搬出入用ドア１６を介して行えばよく、空コンテナＱを搬入する場合には、ドア１５を介して行えばよい。
【００４１】
図５及び図６は、各々、配送が進行した状態をしめしており、実コンテナＰの個数が減少し、空コンテナＱの個数が増加しているが、重錘２２ａを常に間隙（Ｒ）に配置することにより、スクリーン２０の位置を位置決めしておくことができ、実コンテナＰと空コンテナＱとの比率に応じて自然に荷室（Ａ）及び荷室（Ｂ）のスペースが変更されることになる。
【００４２】
このように、なんら人為的な作業を要することなく、実コンテナＰと空コンテナＱとの個数に応じて、自動的に荷室（Ａ）及び荷室（Ｂ）のスペースを最適な比率に設定することができるのである。
【００４３】
即ち、本発明では、ドライバーがなんら煩雑な作業をする必要がないため、作業量、作業時間の面で有利であり、また、一のスクリーンロール２１によって、冷蔵が必要な積荷（例えば実コンテナ）と、冷蔵が不要な積荷（例えば空コンテナ）とを分離して配送することができるため、省エネの効果も著しいのである。
【００４４】
なお、スクリーン２０は、ただ一つ備えるだけであっても良く、使用しないときにはスクリーンロール２１に巻き上げておけるため、収納が容易であり、構造が簡便であって安価であるとともに、実施にあたって投資額も小額ですむ利点がある。
【００４５】
また、スクリーン２０及びスクリーンロール２１の交換時や、冷蔵室１０の洗浄性を考慮すれば、スクリーンロール２１は、冷蔵室１０に対して脱着自在に設けることが好ましい。
【００４６】
スクリーン２０の材質としては、衛生の面からは、抗菌性のある素材や、液洗浄できる素材を選択することが好ましいといえる。
【００４７】
なお、以上の作用からも明らかであるが、スクリーン２０の長さについては、図２に示すように、スクリーンロール２１と冷蔵室１０の前面までの間の距離（矢印Ｙ１）またはスクリーンロール２１と冷蔵室１０の後面までの間の距離（矢印Ｙ２）のいずれか長いほうの距離と、前記スクリーンロール２１と床面１１ａとの間の距離（矢印Ｚ１）とを和した距離（即ち、Ｙ１＋Ｚ１またはＹ２＋Ｚ１のいずれか長いほう）と等しい長さであれば、荷室（Ａ）及び（Ｂ）のスペースを最大限に変更できることになり、好ましい（むろん、この場合、スクリーンロール２１を冷蔵室１０の略中央部に配した場合は、Ｙ１＝Ｙ２となる）。
【００４８】
結局、スクリーン２０の長さの適正範囲としては、前記したように、スクリーンロール２１と、冷蔵室１０の床面１１ａとの間の距離（矢印Ｚ１）よりも長い長さであることが好ましく、また、スクリーンロール２１と冷蔵室１０の前面までの間の距離（矢印Ｙ１）またはスクリーンロール２１と冷蔵室１０の後面までの間の距離（矢印Ｙ２）のいずれかの距離と、前記スクリーンロール２１と床面１１ａとの間の距離（矢印Ｚ１）とを和した距離に相当する長さ（Ｙ１＋Ｚ１又はＹ２＋Ｚ１）よりも短い範囲ということができるが、前記のように、Ｙ１＋Ｚ１又はＹ２＋Ｚ１の長いほうと等しい長さであれば好ましいといえる。
【００４９】
以上の本発明において、スクリーンロール２１を設置する場合には、スクリーンロール２１と冷蔵室１０の天井壁１１ｂとの間には間隙をあけないように設置することが好ましく、仮に、スクリーンロール２１と天井壁１１ｂとの間に間隙が生じた場合には、例えば断面アングル状の部材を天井壁１１ｂに設置する等の処置を行って、このような間隙をふさぐことが好ましい。なお、図３〜図６においては、符号（Ｓ）の部分で間隙があいているようにみえるが、実際には、断面アングル状の部材（図示せず）によって封止されている。なお、断面アングル状の部材に替えて、可撓性のある垂れ幕（図示せず）などで封止しておくことも可能である。
【００５０】
以上のように間隙を封止することは本発明にとって好ましいが、図１〜図１０においては、このように間隙を封止するための部材は、全て図示を省略している。
【００５１】
次に、本発明の第二の実施形態について説明する。
図７は、本発明の第二の実施形態の構造と作用とを説明するための概念図である。図７において、図１乃至図６と共通する要素には、図１乃至図６と同一の符号を付して詳細な説明は省略する。
【００５２】
図７においては、冷蔵室１０は、図１乃至図６に示したスクリーン２０を備えているが、このスクリーン２０には、スクリーン２０の下端部の位置を冷蔵室床面１１ａの任意位置に配置するための位置決め部材２２として、第１の係止部材２２ｂが設けられている。この第１の係止部材２２ｂはフック形状を有する金具である。
【００５３】
また、冷蔵室１０の床面１１ａには、前記第１の係止部材２２ｂ（フック形状を有する金具）と係合する第２の係止部材２２ｃが複数設けられている。この第２の係止部材２２ｃは、フック形状の第１の係止部材２２ｂが係止される金環である。この第２の係止部材２２ｃ（金環）は、床面１１ａにおいて、矢印Ｙ方向に複数設けらている。
【００５４】
スクリーン２０をスクリーンロール２１から伸張し、冷蔵室１０を荷室（Ａ）及び（Ｂ）に区分けする際には、第１の係止部材２２ｂを、第２の係止部材２２ｃの任意の一つと係合させ、スクリーン２０の下端部の位置を決定するのである。
【００５５】
なお、本発明においては、スクリーン２０の下端部に、位置決め部材２２を設けることを必須の要件としているが、スクリーン２０の下端部に設けるのは、この実施形態のように、位置決め部材２２の構成要素のうちの一部（本実施形態では、フック形状の第１の係止部材２２ｂ。）のみであってもよい。
【００５６】
次に、本発明の第三の実施形態について説明する。
図８は、本発明の第三の実施形態におけるスクリーンの周囲の構造を説明するための斜視図である。図８において、前記図３と共通する要素には、図３と同一の符号を付して詳細な説明は省略する。
【００５７】
図８の場合は、軸支バー２７の両端部に、自由回転するローラー３０、３１を備えたことを特徴としている。
【００５８】
図９は、前記本発明の第三の実施形態の構造を説明するための一部断面説明図である。前記本発明の第三の実施形態においては、冷蔵室１０の側壁面に案内レール３２が備えられている。なお、図９においては、冷蔵室１０が断面で示されている関係上、本来、案内レール３２は図示できないのであるが、説明のために、あえて図示している。また、図９においては、冷蔵室１０の紙面手前側の側壁面に設置されている案内レール３２のみを図示しているが、この案内レール３２と同様の案内レール（図示せず）が、冷蔵室１０の反対側、即ち冷蔵室１０の紙面奥側の側壁面に備えられていることはいうまでもない。
【００５９】
図９において、案内レール３２は断面コの字形であり、図８におけるローラ３０が摺動自在に支持されている。即ち、軸支バー２７（図８参照）は、案内バー３２に摺動可能に支持されており、矢印Ｙ３の方向（図９参照）に摺動される。
【００６０】
従って、軸支バー２７は水平移動することが可能となり、この結果、スクリーンロール２１及びスクリーン２０が、冷蔵室１０の内部を、矢印Ｙ３の方向に自由に水平移動することでき、荷室（Ａ）及び（Ｂ）のスペースの比率を容易に変更することができる。
【００６１】
図１０は、前記本発明の第三の実施形態における摺動機構を説明するための拡大一部断面図である。図１０は、図９におけるＴ−Ｔ’線における断面を示すものであるが、案内レール３２の周囲のみを一部拡大して図示しており、また、案内レール３２と、冷蔵室１０の壁１１のみを断面で示している。
【００６２】
図１０において、冷蔵室１０の側壁１１ｃに案内レール３２が設置されている。案内レール３２は断面コの字形の形状を有しているが、このコの字形に内包されるようにロ−ラー３０が支持されている。ローラー３０は、固定軸３０ａによって軸支バー２７に回転自在に固着されている。
【００６３】
図１０において、ローラー３０が、案内レール３２の中を紙面の手前−奥方向に摺動することによって、軸支バー２７、およびスクリーンロール２１は、やはり紙面の手前−奥方向に移動可能である。
【００６４】
本発明の第三の実施形態は、以上の図８〜図１０のような構造をとることによって、スクリーンロール２１を冷蔵室１０の内部で水平移動させることが可能となり（図９の矢印（Ｙ３）参照。）、荷室（Ａ）、（Ｂ）のスペースの比率を変更することが簡単にできるため、荷室を区分けする際のフレキシビリティが一層高まるのである。
【００６５】
なお、本発明の第三の実施形態においては、様々な変更を行うことも可能であり、例えば、案内レール３２を、冷蔵室１０の天井壁１１ｂに設ける態様であってもよい。
【００６６】
【実施例】
実施例１
図１〜図６に示した本発明の第一の実施形態についての具体的な実施例を例示する。
冷蔵車１としては、いすず株式会社製、機械式冷蔵冷凍車ＫＣ−ＮＫＲ６６ＥＡＶを採用し、また、スクリーン２０としては、１７３０ｍｍ×２５００ｍｍのＨＤタイプスクリーン（株式会社テンパル社製ＨＤ４０）を採用した（図３参照）。
【００６７】
以上の構成を採用した冷蔵車１は、実コンテナと空コンテナとを混載する場合に好適であり、本発明の目的を十分に達するものであった。
【００６８】
実施例２
前記実施例１と同様に、スクリーン２０を、立川ブラインド工業株式会社製、大型タイプ、２０００ｍｍ×２５００ｍｍに変更した。このスクリーン２０の材質は、同社製のＮｏ．３７６６、ミントグレーを選択した。選択したスクリーン２０の洗浄性は良好であり、本発明の目的を十分に達するものであった。
【００６９】
【発明の効果】
本発明の冷蔵車は、ドア開放時における荷物の温度上昇を最小限に抑制でき、荷室を区分けして温度管理ができる冷蔵車であるが、構造が簡便で安価であって投資額が低額ですみ、耐久性がよい。また、使用にあたって作業効率がよく、配送効率を減ずることがなく、区分けした荷室のスペースを自在に変更できるフレキシビリチィがあり、特に実コンテナを配送しながら空コンテナを回収していくような配送作業に好適である。
【図面の簡単な説明】
【図１】図１は、本発明の第一の実施形態の構造を説明するための一部断面説明図である。
【図２】図２は、前記本発明の第一の実施形態の構造と作用を説明するための概念図である。
【図３】図３は、前記本発明の第一の実施形態におけるスクリーンの周囲の構造を説明するための斜視図である。
【図４】図４は、前記本発明の第一の実施形態の作用を説明するための概略説明図である。
【図５】図５は、前記本発明の第一の実施形態の作用を説明するための概略説明図である。
【図６】図６は、前記本発明の第一の実施形態の作用を説明するための概略説明図である。
【図７】図７は、本発明の第二の実施形態の構造と作用とを説明するための概念図である。
【図８】図８は、本発明の第三の実施形態におけるスクリーンの周囲の構造を説明するための斜視図である。
【図９】図９は、前記本発明の第三の実施形態の構造を説明するための一部断面説明図である。
【図１０】図１０は、前記本発明の第三の実施形態における摺動機構を説明するための拡大一部断面図である。
【符号の説明】
１　　冷蔵車
１０　　冷蔵室
１４　　冷却ユニット
１５　　ドア
１６　　搬出入用ドア
２０　　スクリーン
２１　　スクリーンロール
２２　　位置決め部材
２２ａ　重錘（ウエイトバー）
２２ｂ　第１の係止部材（フック形状を有する金具）
２２ｃ　第２の係止部材（金環）
２３　　ループコード
２４、２５　ブラケット
２６　　回転ギア
２７　　軸支バー
３０、３１　ローラ
３２　　案内レール
Ａ、Ｂ　荷室
【図１】
2004060928.tif 000003
【図２】
2004060928.tif 000004
【図３】
2004060928.tif 000005
【図４】
2004060928.tif 000006
【図５】
2004060928.tif 000007
【図６】
2004060928.tif 000008
【図７】
2004060928.tif 000009
【図８】
2004060928.tif 000010
【図９】
2004060928.tif 000011
【図１０】
2004060928.tif 000012